(57)【特許請求の範囲】
【請求項１】
固定枠体１の開口前面側を開閉する扉２を固定枠体１に開閉自在に支持するためのヒンジであって；固定枠体１に固着されるベース板３と；扉２に固着される支持板４と；扉２と前記ベース板３との間を連結する水平面上回転自在のリンク板５とを具備し；前記ベース板３は、基端側において固定枠体１に固着され、先端側が固定枠体１の開口前面側に張り出し、開口前面に対して直角方向に延長するガイド溝３ａを具備し；前記支持板４は、基端側において扉２に固着され、先端側が固定枠体１の開口側へ張り出し、先端部が前記ベース板３のガイド溝３ａに摺動自在に枢支され；前記リンク板５は、一端側が扉２に枢支され他端側が前記ベース板３の先端部に枢着され；扉２が開くにしたがって前記支持板４の先端部が扉２と共に前記ベース板３のガイド溝３ａに沿って前方へ移動し、リンク板５が扉2 及び前記ベース板３との相互角度を変化させつつ回動するように構成されることを特徴とする自販機等の持出し回転型ヒンジ。
【発明の詳細な説明】
【技術分野】
【０００１】
この発明は、本発明は自販機等の筐体の扉に使用されるヒンジに関するものである。
【背景技術】
【０００２】
一般の自販機等では、固定枠体に取り付けたベース板の先端部に扉の基端部を単一軸構成のピボット型ヒンジによって連結している。しかしながら、このように扉の回転中心が固定枠体に近接した位置関係にあるヒンジでは、隣に同様の自販機等が設置されている場合には、扉を大きく開放したときに隣接の自販機等に扉が衝突する干渉事故の問題が指摘されている。この干渉事故を避けようとすると、今度は十分に扉を開放することができないため、ディスプレイや金銭収納用引き出し等の引き出し操作に障害となってしまう。
そこで、扉の回転中心が固定枠体の開口部前面側に持ち出されるため、扉が隣接の自販機等に衝突する干渉事故が発生せず、また、開放された扉が引き出し等の出し入れ操作の障害となることもない自販機等の持出し回転型ヒンジが提案されている（例えば特許文献１参照）。
このヒンジは、ベース板の先端部に固定歯車を固着し、アーム板の基端部の第１軸ピンを固定歯車の垂直軸孔に嵌挿し、アーム板に支持させた中間歯車を固定歯車に噛み合わせ、第１リンク板の先端部を第２軸ピンで扉に連結し、第１リンク板の基端部に固着した第３軸ピンをアーム板の軸受孔に嵌挿し、第３軸ピンに固設した回転軸歯車を固定歯車の反対側において中間歯車に噛み合わせ、第２リンク板の基端部を第４軸ピンによってアーム板の先端部に連結し、第２リンク板の先端部を第５軸ピンによって扉に連結したものである。
しかしながら、このヒンジは、機構が複雑で、比較的高価なものとなるという問題点がある。
【先行技術文献】
【特許文献】
【０００３】
【特許文献１】特開平１０−２５２３３８号公報
【発明の概要】
【発明が解決しようとする課題】
【０００４】
したがって、この発明の目的は、扉の回転中心が固定枠体の開口部前面側に持ち出されるため、開放された扉が内部の物の出し入れ操作の障害となることがない自販機等の筐体の持出し回転型ヒンジで、構造が比較的簡単で安価に得られるもの提供することである。
【課題を解決するための手段】
【０００５】
以下、添付図面の符号を参照して説明するが、本発明はこれに限定されるもので
はない。
上記課題を解決するため、この出願に係る発明のヒンジは、自販機等の筐体の固定枠体１の開口前面側を開閉する扉２を固定枠体１に開閉自在に支持するためのヒンジであって、固定枠体１に固着されるベース板３と、扉２に固着される支持板４と、ベース板３と扉２との間を連結する水平面上回転自在のリンク板５とを具備する。ベース板３は、基端側において固定枠体１に固着され、先端側が固定枠体１の開口前面側に張り出し、開口前面に対して直角方向に延長するガイド溝３ａを具備する。支持板４は、基端側において扉２に固着され、先端側が固定枠体１の開口側へ張り出し、先端部がスライドピン４ａによりベース板３のガイド溝３ａに摺動自在に枢支される。リンク板５は、一端側が扉２に枢支され、他端側がベース板３の先端部に枢支される。そして、扉２が開くにしたがって支持板４の先端部が扉２と共にベース板３のガイド溝３ａに沿って前方へ移動し、リンク板５が扉2 及びベース板３との相互角度を変化させつつ回動するように構成される。
【発明の効果】
【０００６】
この出願に係る発明のヒンジによれば、支持板４の先端部が扉２と共にベース板３のガイド溝３ａに沿って前方へ移動しつつ、横外方向へ移動することにより、扉の回転中心が固定枠体１の開口部前方に持ち出されるため、開放された扉２が内部の物の出し入れ操作の障害となることがない。また、構造が比較的簡単で安価に得られるという効果を有する。
【図面の簡単な説明】
【０００７】
【図１】本発明に係るヒンジの使用状態の斜視図である。
【図２】扉が閉鎖状態にあるときの図１のヒンジの平面図である。
【図３】扉が開放途上にあるときの図１のヒンジの平面図である。
【図４】扉が全開状態付近にあるときの図１のヒンジの平面図である。
【図５】図1 のヒンジの概略的分解斜視図である。
【図６】本発明に係る他の実施形態のヒンジの使用状態の斜視図である。
【図７】扉が閉鎖状態にあるときの図６のヒンジの平面図である。
【図８】扉が開放途上にあるときの図６のヒンジの平面図である。
【図９】扉が全開状態付近にあるときの図６のヒンジの平面図である。
【図１０】図６のヒンジの概略的分解斜視図である。
【発明を実施するための形態】
【０００８】
図面を参照してこの発明の実施の形態を説明する。
図１ないし図５に、この出願に係る発明の第１の実施形態のヒンジを示す。このヒンジは、筐体の固定枠体１の開口前面１ａ側を開閉する扉２を固定枠体１に開閉自在に支持するためのヒンジであって、扉２の上下部の２か所に相対称に装着される。ヒンジは、固定枠体１に固着されるベース板３と、扉２に固着される支持板４と、ベース板３と扉２との間を連結する水平面上回転自在のリンク板５とを具備する。扉２は、図に示す閉鎖状態において、当接面２ａが固定枠体１の開口前面１ａに重なる。
【０００９】
ベース板３は、基端側において固定枠体１に固着され、先端側が固定枠体１の開口前面１ａ側へ張り出す。ベース板３は、固定枠体１の開口の内側に位置する基端から開口の前方の先端位置まで、開口前面１ａに対して直角方向に直線状に延長するガイド溝３ａを具備する。
【００１０】
支持板４は、基端側において扉２に固着され、先端側が当接面２ａ側へほぼ直角に張り出すように配置される。支持板４の先端部は、スライドピン４ａによりベース板３のガイド溝３ａに沿って摺動自在、水平回転自在に枢支される。
【００１１】
リンク板５は、一端側が扉２における当接面２ａ側の隅部に、軸ピン６で枢支され、他端側がベース板３におけるガイド溝３ａの先端の外側部位に、軸ピン７で枢支される。図２に示す扉２の閉鎖状態において、リンク板５は、固定枠体１の開口前面１ａと扉２の当接面２ａに対して直角方向に配置され、ベース板３、支持板４とほぼ平行に折りたたまれる状態となる。
【００１２】
図３，４に示すように、扉２が開くにしたがって支持板４の先端部が扉２と共にベース板３のガイド溝３ａに沿って前方へ移動し、リンク板５は、軸ピン７を中心に反時計方向へ回転するように構成される。
【００１３】
図６ないし図１０には、この出願に係る発明の第２の実施形態のヒンジを示す。このヒンジは、先の第１の実施形態のヒンジに、扉２の垂れ下がり防止用の補強板８を追加したものである。同等の構成部分には同一の符号を付して説明を省略する。補強板８は、支持板４、扉２と実質的に一体であり、扉２の荷重の一部を固定枠体１に吊支する。
【符号の説明】
【００１４】
１  固定枠体
１ａ  開口前面
２    扉
２ａ  当接面
３    ベース板
３ａ  ガイド溝
４    支持板
４ａ  スライドピン
５    リンク板
６    軸ピン
７    軸ピン
８    補強板
【図１】
0005417381.tif 000002
【図２】
0005417381.tif 000003
【図３】
0005417381.tif 000004
【図４】
0005417381.tif 000005
【図５】
0005417381.tif 000006
【図６】
0005417381.tif 000007
【図７】
0005417381.tif 000008
【図８】
0005417381.tif 000009
【図９】
0005417381.tif 000010
【図１０】
0005417381.tif 000011